(57)【要約】【課題】旋回流形成方式の排水トラップにおいて、受入室内の旋回流の旋回流速を大きくする効果が高められた排水トラップを提供する。【解決手段】受入室１１の底面の中央に流出口１６が設けられている。流出口１６の口径は、受入室１１の内径よりも小さいものとなっている。流出口１６ｂの内周面は、略全体が下端側ほど口径が大きくなる形状となっている。流出口１６の内周面の水平方向に対する平均傾斜角（仰角）θは、１５〜６０°特に３０〜４５°であることが好ましい。受入室１１内の渦状の旋回流は、小口径の流出口１６を経て流出室１７へ流出するため、旋回流速が大きくなる。また、流出口１６内を通る渦流は、その遠心力により該流出口１６の内周面に沿って広がりながら、該流出口１６から流れ落ちる。これにより、流出口１６から水の流出が増進されるため、これに付随して受入室１１内の旋回流速が増大する。【選択図】図２
2010222952.tif 000002
【特許請求の範囲】
【請求項１】
洗い場排水の受入口を上部に有すると共に、浴槽排水を浴槽排水流入口から略接線方向に受け入れてトラップ内で旋回流を形成させる略円筒形の受入室を有する排水トラップにおいて、
該受入室の底部の中心部に、該受入室内の水を流出させるための、該受入室の内径よりも小さい口径の流出口が設けられており、
該流出口の略全体が下方ほど口径が大きくなっていることを特徴とする排水トラップ。
【請求項２】
洗い場排水の受入口を上部に有すると共に、浴槽排水を浴槽排水流入口から略接線方向に受け入れてトラップ内で旋回流を形成させる略円筒形の受入室を有する排水トラップにおいて、
該受入室の底部が略水平となっており、
該受入室の底部の中心部に、該受入室内の水を流出させるための、該受入室の内径よりも小さい口径の流出口が設けられていることを特徴とする排水トラップ。
【請求項３】
請求項２において、該流出口の略全体が下方ほど口径が大きくなっていることを特徴とする排水トラップ。
【請求項４】
請求項１又は３において、前記流出口の内周面の水平方向に対する平均の傾斜角（仰角）は、１５〜６０°であることを特徴とする排水トラップ。
【請求項５】
請求項１ないし４のいずれか１項において、前記流出口のうち最も狭まった部分における口径は、受入室の内径の６０〜９０％であることを特徴とする排水トラップ。
【請求項６】
請求項１ないし５のいずれか１項において、前記流出口の下側に、水を排水口に導くための流出室が設けられ、
水は該流出室から立上室を経て該排水口に導かれるよう構成されており、
該排水口は、該立上室の側面に設けられており、
該排水口の下縁のレベルは、前記流出口よりも上位であることを特徴とする排水トラップ。
【請求項７】
請求項６において、前記流出口は、筒軸心方向を略鉛直方向とした筒形の流出口部材よりなり、
該流出口部材の下部は、前記流出室に突出していることを特徴とする排水トラップ。
【発明の詳細な説明】
【技術分野】
【０００１】
本発明は、浴室の洗い場に設けられる排水トラップに係り、特に浴槽排水を受け入れてトラップ内に旋回流を形成させるよう構成された排水トラップに関する。
【背景技術】
【０００２】
洗い場排水を受け入れる洗い場排水受入口が上部に設けられていると共に、浴槽排水を側周面から受入室内に受け入れて該受入室内に旋回流を形成させるようにした排水トラップが特許第３８８６０５５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【０００３】
この特許第３８８６０５５号の排水トラップにあっては、受入室は略円筒形である。受入室内で旋回流を形成している水は、受入室の周壁の下部から側方へ流出するよう構成されている。
【先行技術文献】
【特許文献】
【０００４】
【特許文献１】特許第３８８６０５５号
【発明の概要】
【発明が解決しようとする課題】
【０００５】
上記旋回流形成方式の排水トラップにおいて、浴槽の水位が低い場合、浴槽排水の排水トラップへの流入流速が小さくなり、受入室内における旋回流速が小さくなり、ヘアキャッチャーの洗浄等が不十分になるおそれがある。
【０００６】
そこで、受入室の底部の中心部に、該受入室の内径よりも小さい口径の流出口を設けることが考えられる。このように構成した場合、受入室内で形成された旋回水流は、受入室底部中央の小口径の流出口に導かれる。この流出口の口径が受入室の内径よりも小さいので、流出口付近での旋回流速が大きくなる。この結果、受入室への排水流入量が少ない場合でも、受入室内の旋回流速が大きくなる。
【０００７】
本発明は、旋回流形成方式の排水トラップにおいて、受入室内の旋回流の旋回流速を大きくする効果が高められた排水トラップを提供することを目的とする。
【課題を解決するための手段】
【０００８】
本発明（請求項１）の排水トラップは、洗い場排水の受入口を上部に有すると共に、浴槽排水を浴槽排水流入口から略接線方向に受け入れてトラップ内で旋回流を形成させる略円筒形の受入室を有する排水トラップにおいて、該受入室の底部の中心部に、該受入室内の水を流出させるための、該受入室の内径よりも小さい口径の流出口が設けられており、該流出口の略全体が下方ほど口径が大きくなっていることを特徴とするものである。
【０００９】
請求項２の排水トラップは、洗い場排水の受入口を上部に有すると共に、浴槽排水を浴槽排水流入口から略接線方向に受け入れてトラップ内で旋回流を形成させる略円筒形の受入室を有する排水トラップにおいて、該受入室の底部が略水平となっており、該受入室の底部の中心部に、該受入室内の水を流出させるための、該受入室の内径よりも小さい口径の流出口が設けられていることを特徴とするものである。
【００１０】
請求項３の排水トラップは、請求項２において、該流出口の略全体が下方ほど口径が大きくなっていることを特徴とするものである。
【００１１】
請求項４の排水トラップは、請求項１又は３において、前記流出口の内周面の水平方向に対する平均の傾斜角（仰角）は、１５〜６０°であることを特徴とするものである。
【００１２】
請求項５の排水トラップは、請求項１ないし４のいずれか１項において、前記流出口のうち最も狭まった部分における口径は、受入室の内径の６０〜９０％であることを特徴とするものである。
【００１３】
請求項６の排水トラップは、請求項１ないし５のいずれか１項において、前記流出口の下側に、水を排水口に導くための流出室が設けられ、水は該流出室から立上室を経て該排水口に導かれるよう構成されており、該排水口は、該立上室の側面に設けられており、該排水口の下縁のレベルは、前記流出口よりも上位であることを特徴とするものである。
【００１４】
請求項７の排水トラップは、請求項６において、前記流出口は、筒軸心方向を略鉛直方向とした筒形の流出口部材よりなり、該流出口部材の下部は、前記流出室に突出していることを特徴とするものである。
【発明の効果】
【００１５】
第１発明（請求項１）及び第２発明（請求項２）の排水トラップは、いずれも洗い場排水と浴槽排水とを受け入れる旋回流形成方式の排水トラップにおいて、受入室の底部の中心部に、受入室内径よりも小口径の流出口を設け、この流出口から水を流出させるように構成している。この排水トラップの受入室内では、水は、旋回により渦状となり、この渦流は、受入室底部中央の小口径の流出口に導かれる。この流出口の口径が受入室の内径よりも小さいので、流出口付近での旋回流速（角速度）が大きくなる。この流出口での高速旋回流に引きずられるようにして、受入室内の旋回流速が増大する。
【００１６】
第１発明では、この流出口の略全体が下方ほど口径が大きくなっている。そのため、流出口内を通る渦流は、その遠心力により該流出口の内周面に沿って広がりながら、該流出口から流れ出る。これにより、該流出口から水の流出が促進されるため、これに付随して受入室内の旋回流速が増大する。この結果、受入室への排水流入量が少ない場合でも、受入室内の旋回流速が十分に大きなものとなる。
【００１７】
第２発明では、受入室の底面が略水平となっているので、受入室内の旋回流と流出口内の高速旋回流とが近接したものとなり、流出口内の高旋回流速が効率よく受入室内の旋回流に伝播し、受入室内の旋回流速が増大する。この結果、受入室への排水流入量が少ない場合でも、受入室内の旋回流速が十分に大きなものとなる。
【００１８】
第２発明でも、請求項３の通り流出口の略全体が下方ほど口径が大きくなるよう構成した場合には、第１発明と同様の作用効果が重畳して奏される。
【００１９】
請求項４の通り、流出口の内周面の水平方向に対する平均の傾斜角（仰角）を１５〜６０°とすることにより、流出口から水の流出が効果的に増進される。なお、第２発明では、流出口は上下方向の略全体が略同一口径であってもよい。
【００２０】
請求項５の通り、流出口のうち最も狭まった部分における口径を、受入室の内径の６０〜９０％程度とすることにより、受入室内の旋回流速が十分に増大すると共に、流出口からの流出流量も多くなる。
【００２１】
請求項６の排水トラップにあっては、浴槽排水が流入しない場合、流出室を含めて排水口下縁のレベルまで水が溜まり、封水が形成される。
【００２２】
請求項７の排水トラップによると、流出口部材の下部が封水に十分に深く水没した構成となるので、封水不足によるトラップ切れが確実に防止される。
【図面の簡単な説明】
【００２３】
【図１】実施の形態に係る浴室排水装置の排水トラップの模式的な縦断面図である。
【図２】図１の排水トラップにおける受入室の流出口付近の模式的な拡大図である。
【図３】図１の排水トラップの斜視図である。
【図４】図３のIV−IV線に沿う断面図斜視図である。
【図５】流出口の内周面の形状変更例を示す断面図である。
【図６】比較例に係る流出口の形状を示す断面図である。
【図７】別の実施の形態に係る浴室排水装置の排水トラップの模式的な縦断面図である。
【図８】実験例に用いた排水トラップの模式的な縦断面図である。
【発明を実施するための形態】
【００２４】
以下、本発明の実施の形態を図面に基づいて説明する。
【００２５】
［第１及び第２発明の実施の形態］
第１図は第１及び第２発明の実施の形態に係る排水トラップの模式的な断面図であり、第２図は第１図の受入室流出口付近の拡大図である。第３図はこの排水トラップの具体的な斜視図、第４図は第３図のIV−IV線に沿う断面図である。
【００２６】
浴室１の洗い場パン２の浴槽３側に排水枡４が一体形成されている。この排水枡４に対し下側から排水トラップ１０が連結されている。排水トラップ１０は、軸心線方向を鉛直方向とした略円筒形の受入室１１を有している。
【００２７】
この受入室１１の側面の流入口１２と浴槽３の底面の排水口３ａとが接続部５を介して接続されている。この流入口１２は受入室１１に対し接線方向に水を流入させるように設けられている。
【００２８】
この受入室１１の内径は、１００〜１５０ｍｍ特に１１０〜１３０ｍｍが好ましい。
【００２９】
受入室１１の上面部には、洗い場パン２側からの排水が排水枡４を通り流入する洗い場排水受入口１３が設けられている。
【００３０】
排水枡４は洗い場パン２と一体状に凹み状に形成されている。その上面には排水目皿（図示略）が覆設されている。
【００３１】
排水枡４の底部の開口には円筒形のフランジ部材１４がパッキン（図示略）を介して内嵌状に取り付けられ、このフランジ部材１４にネジ込み方式により、排水トラップ１０の上端が取り付けられている。フランジ部材１４を通して、受入口１３内に上方から着脱可能にヘアキャッチャー１５が差し込まれている。フランジ部材１４の上端の外周側は鍔状となっており、この鍔状部が排水枡４の底面開口の縁部に上側から重なっている。
【００３２】
このヘアキャッチャー１５は、上面が開いたカゴ（篭）状である。この実施の形態では、ヘアキャッチャー１５は下方側へ向かって縮径する略逆円錐台形状を有する。ヘアキャッチャー１５は、その下端が排水トラップ１０内の封水面Ｗよりも若干上方に位置するようにフランジ部材１４に支持されている。なお、ヘアキャッチャー１５は、排水トラップ１０内に形成される旋回流によって上方に押されても浮き上がらないようにフランジ部材１４の係止部（図示略）に係止されている。
【００３３】
第１，２図に明示の通り、受入室１１の略水平な底面１１ｆの中央に、受入室１１と同軸状に流出口１６が設けられている。底面１１ｆは実質的に水平であることが好ましいが、流出口１６に向って若干の下り勾配を有していてもよい。この下り勾配は３０°以下特に１０°以下であることが好ましい。
【００３４】
受入室１１の下側に流出室１７が設けられており、流出口１６は、この流出室１７に連通している。流出室１７は、受入室１１の側面に沿って立ち上がる立上室１８に連なっている。流出室１７の周壁１７ａのうち、立上室１８と反対側は流出口１６の近傍に位置している。
【００３５】
第２，４図に示すように、流出口１６は、略円筒形の流出口部材１９の内孔により構成されている。流出口部材１９は、その筒軸心方向を略鉛直方向として受入室１１の底面開口に差し込まれている。この流出口部材１９の上端から放射方向に鍔部１９ａが突設されており、この鍔部１９ａが受入室１１の底面開口の周縁部に係合している。この流出口部材１９の上面は、受入室１１の底面と略面一状となっている。
【００３６】
第２，４図に示すように、この流出口部材１９の上下の長さは受入室１１の底部の厚さよりも大きなものとなっており、その下端側は流出室１７内に突出している。流出室１７の天井面からの流出口部材１９の突出長さＰ（第２図）は、４〜１５ｍｍ特に６〜１０ｍｍであることが好ましい。また、この流出口部材１９の下端と流出室１７の底面との間隔Ｑは、５〜２５ｍｍ特に１０〜２０ｍｍであることが好ましい。
【００３７】
この実施の形態では、流出口１６の内周面の上端近傍部分は、口径が略一定の等径部１６ａとなっており、それよりも下側の部分は、下端側ほど口径が大きくなるテーパ部１６ｂとなっている。テーパ部１６ｂは、好ましくは流出口１６の上下方向の幅Ｄ（第２図）の３０〜７０％特に好ましくは４０〜６０％である。該テーパ部１６ｂは、等径部１６ａとの境界付近から流出口１６の下端まで傾斜角が略一定となっている。このテーパ部１６ｂの水平方向に対する平均傾斜角（仰角）θ（第２図）は、１５〜６０°特に３０〜４５°であることが好ましい。なお、この実施の形態のように、流出口１６の内周面が等径部１６ａとテーパ部１６ｂとで構成されている場合には、このテーパ部１６ｂの平均傾斜角θを流出口１６の平均傾斜角というものとする。
【００３８】
流出口１６のうち最も狭まっている部分（この実施の形態では等径部１６ａ）の口径φ（第２図）は、受入室１１の内径の６０〜９０％特に７５〜８５％であることが好ましい。
【００３９】
この実施の形態では、立上室１８は流入口１２と反対側に設けられているが、これに限定されない。立上室１８は、受入室１１の外側面に沿って封水面Ｗよりも上方にまで立ち上がっている。この立上室１８の上部側面に、排水流路としての排水管接続部２０が連なっている。この排水管接続部２０に排水管２１が接続される。この排水管接続部２０の底面のレベルが封水面Ｗとなっている。
【００４０】
立上室１８内と浴室１内とを連通するように通気管２２，２３が設けられている。この通気管２３はヘアキャッチャー１５と一体に上下方向に設けられている。通気管２３は、その下端が通気管２２の上端に着脱自在に嵌合している。通気管２２は、受入室１１内から、その側周壁を貫いて立上室１８内に入り、立上室１８内の下部まで延在している。この通気管２２の下端部は、大径筒状となっており、その底面に複数の小孔２２ａが設けられている。立上室１８内に水が流れると、通気管２２の下端部に負圧が生じ、通気管２３，２２を通って流水に気泡が混入する。
【００４１】
なお、通気管２２，２３が嵌合することにより、受入室１１内の旋回流がヘアキャッチャー１５に作用しても、ヘアキャッチャー１５は旋回しない。
【００４２】
このように構成された排水トラップ１０の作動について次に説明する。
【００４３】
水を張った浴槽３の排水口３ａの排水栓を抜くと、浴槽３内の水が流入口１２から排水トラップ１０の受入室１１内に流入し、この受入室１１内に渦状の旋回流を形成する。受入室１１内の水位は次第に上昇し、ヘアキャッチャー１５あるいはさらに排水枡４が旋回流に浸水した状態となる。これにより、排水枡４の内面やヘアキャッチャー１５に付着しているゴミがこすり落とされて、髪の毛等のゴミは渦の中心に集められ、ヘアキャッチャー１５の底面中央部に集められる。
【００４４】
受入室１１内で旋回している水の一部は、渦の中心付近から受入室１１の底部中央の流出口１６、流出室１７、立上室１８及び排水管接続部２０を経て排水管２１へ流出する。
【００４５】
この排水トラップ１０にあっては、受入室１１内の渦状の旋回流は、該受入室１１の内径よりも小口径の流出口１６を経て下方の流出室１７へ流出する。この流出口１６付近では、旋回半径が受入室１１内の上部側における旋回半径よりも小さくなるため、旋回流速（角速度）が大きくなる。この結果、受入室１１内の旋回流も、この流出口１６付近の高速旋回流に付随して高速となる。なお、この実施の形態では、受入室１１の底面１１ｆを略水平としているが、種々の実験の結果、底面１１ｆを水平とすることにより、底面をテーパ状斜面とした場合に比べて受入室１１内の旋回流速が大きくなることが認められた。これは、流出口１６の高速旋回流が受入室内の旋回流に対し、より直接的に作用するためであると推察される。
【００４６】
また、この排水トラップ１０にあっては、流出口１６は、略全体が下方ほど口径が大きくなるテーパ形状となっている。そのため、流出口１６内を通る旋回流は、その遠心力により該流出口１６の内周面に沿って広がりながら、該流出口１６から流出室内に流入する。これにより、該流出口１６付近における旋回流速が大きいものとなり、これに付随して受入室１１内の旋回流速が増大する。
【００４７】
この結果、浴槽３の水位が低く流入口１２からの流入水量が少ない場合でも、受入室１１内に強力な旋回流が形成され、ヘアキャッチャー１５や排水枡４が十分に洗浄される。また、ゴミがヘアキャッチャー１５の中心部に効率よく集められる。
【００４８】
流出室１７及び立上室１８内に水が流れると、通気管２３，２２及び小孔２２ａを介して流水に気泡が混入する。これにより、排水管２１に生じる負圧が軽減される。この結果、排水トラップ１０の流出室１７及び立上室１８内の水が殆どすべて排水管２１へ吸い出されて排水トラップ１０が破封することが防止される。
【００４９】
なお、この実施の形態では、流出口１６を構成する筒形の流出口部材１９の下部が流出室１７内に突出しており、封水に十分に深く水没したものとなるので、封水不足によるトラップ切れが確実に防止される。
【００５０】
浴槽３からすべての水が流出すると、旋回流は停止し、排水トラップ１０内には封水面Ｗのレベルの封水が残る。また、通気管２２内にも小孔２２ａから水が流入し、通気管２２内にも封水面Ｗまで封水が存在するようになる。
【００５１】
これにより、排水管２１側と洗い場及び浴槽３側とはいずれも封水によって隔絶されることになり、排水管２１の臭気が洗い場や浴槽３へ逆流することが防止される。
【００５２】
なお、ヘアキャッチャー１５を掃除する場合、排水目皿を取り外し、通気管２３を摘んでヘアキャッチャー１５を取り出し、ゴミを捨てることができる。
【００５３】
［流出口の他の構成例について］
上記の実施の形態は、第１発明の構成要件である「流出口の略全体が下方ほど口径が大きくなる」構成を備えたものであり、流出口１６の内周面は、上端近傍部分を除く大部分が下端側ほど口径が大きくなるテーパ部１６ｂとなっているが、第１発明の流出口の内周面の形状はこれに限定されない。
【００５４】
第５図（ａ）〜（ｃ）は、それぞれ、第１発明の実施の形態に係る排水トラップにおける流出口の別の形状の一例を示す断面図である。
【００５５】
第５図（ａ）の流出口１６Ａは、内周面が階段状となっており、下端側に行くに従って段階的に口径が大きくなっている。なお、第５図（ａ）では、流出口１６Ａは３段階に口径が大きくなっているが、２段階又は４段階以上に口径が大きくなるように構成してもよい。
【００５６】
第５図（ｂ）の流出口１６Ｂは、内周面が該流出口１６Ｂの中央側に凸に湾曲したものとなっており、第５図（ｃ）の流出口１６Ｃは、内周面が凹に湾曲したものとなっている。
【００５７】
なお、第５図（ａ）においては、流出口１６Ａの内周面の平均の傾斜角（仰角）とは、流出口１６Ａの内周面の階段状部分の流出口１６Ａ中央側の凸角部同士を結ぶ線分の水平方向に対する平均傾斜角をいう。
【００５８】
これらの流出口１６Ａ〜１６Ｂにおいても、各々の内周面の水平方向に対する平均傾斜角θは、１５〜６０°特に３０〜４５°であることが好ましい。
【００５９】
［第２発明の実施の形態］
第２発明は、「流出口の略全体が下方ほど口径が大きくなる」ことを必須とはしないものである。従って、第２発明では、流出口は直筒状であってもよい。第７図は、このように流出口１６Ｆを直筒状（等径円筒状）とした排水トラップの断面図である。
【００６０】
この流出口１６Ｆの口径は、第１図〜第５図の実施の形態と同じく、受入室１１の内径の６０〜９０％特に７５〜８５％であることが好ましい。流出口１６Ｆの流出室１７内への突出長さは、前記第２図の場合におけるＰと同じく４〜１５ｍｍ、特に６〜１０ｍｍが好ましい。また、この流出口１６Ｆの下端と流出室１７の底面との間隔も、第２図の場合におけるＱと同じく、５〜２５ｍｍ特に１０〜２０ｍｍであることが好ましい。
【００６１】
第７図では、流出室１７の周壁１７ａが受入室１１の周壁と面一状となっているが、受入室１１の周壁よりも流出口１６Ｆ側に位置していてもよい。
【００６２】
排水トラップ１０Ｆのその他の構成は第１図〜第４図の排水トラップ１０と同一であり、同一符号は同一部分を示している。
【００６３】
この実施の形態においても、流出口１６Ｆ付近における高速旋回流が受入室１１内の旋回流に作用することにより、受入室１１内の旋回流速が大きくなる。この結果、浴槽３の水位が低く流入口１２からの流入水量が少ない場合でも、受入室１１内に強力な旋回流が形成され、ヘアキャッチャー１５や排水枡４が十分に洗浄される。また、ゴミがヘアキャッチャー１５の中心部に効率よく集められる。
【００６４】
また、その他の、第１図〜第４図と同一構成に起因して奏される種々の作用効果も、同様に奏される。なお、この第２発明は、流出口が直筒状であることに限定されるものではなく、流出口は下方ほど拡径する形状等であってもよいことは明らかである。
【００６５】
上記実施の形態は本発明の一例であり、本発明は図示以外の形態をもとりうる。
【実施例】
【００６６】
［実験例１〜３］
受入室１１の底面１１ｆが水平となっており、その中央部に流出口が設けられている排水トラップにおいて、流出口の内周面の略全体が下端側ほど口径が大きくなる形状となっている場合（実験例１）と、流出口の内周面の略全体が略等径となっている場合（実験例２）と、流出口の内周面の略全体が下端側ほど口径が小さくなる形状となっている場合（実験例３）とで受入室内に形成される旋回流の流速がどの程度異なるか検証する実験を行った。
【００６７】
＜実験例１：流出口の内周面の略全体が下端側ほど口径が大きくなる形状となっている場合＞
第１〜４図の排水トラップ１０において、受入室１１の平均内径を約１１５ｍｍとし、流出口１６の等径部１６ａの口径φを約９２ｍｍとし、流出口１６の上下方向の幅Ｄを約８ｍｍとし、テーパ部１６ｂの水平方向に対する平均傾斜角θを約３４°とした。テーパ部１６ｂの上下幅は、流出口１６の上下方向の幅Ｄの約５０％である。流出室１７の周壁１７ａのうち、立上室１８と反対側は流出口１６の直近（距離は約○○ｍｍ）に位置している。
【００６８】
＜実験例２：流出口の内周面の略全体が略等径となっている場合＞
上記の第１〜４図の排水トラップ１０において、受入室１１の底部に、第６図（ａ）のように内周面の全体が等径となっている流出口１６Ｄを設け、それ以外は実験例１と同様の構成とした。流出口１６Ｄの口径は約９２ｍｍ、流出口１６Ｄの上下方向の幅Ｄは約８ｍｍとした。
【００６９】
＜実験例３：流出口の内周面の略全体が下端側ほど口径が小さくなる形状となっている場合＞
受入室１１の底部に、第６図（ｂ）のように内周面の略全体が下端側ほど口径が小さくなっている流出口１６Ｅを設け、それ以外は実験例１，２と同様の構成とした。
【００７０】
なお、この流出口１６のテーパ部１６ｄは、流出口１６Ｅの上下方向の幅の約５０％である。該テーパ部１６ｄは、等径部１６ｃとの境界付近から流出口１６Ｅの下端まで傾斜角θ’が３４°で一定となっている。
【００７１】
流出口１６Ｅの最下端部の口径は９２ｍｍである。流出口１６Ｅの上下方向の幅Ｄは流出口１６と同じく約８ｍｍとした。
【００７２】
上記の実験例１，２，３の排水トラップを第１図の如く浴槽３に接続し、それぞれ浴槽３に約４００Ｌ（リットル）の水を張った状態から排水を行い、受入室１１内に形成された旋回流の最大回転数Ｒを計測した。結果を表１に示す。
【００７３】
【表１】
2010222952.tif 000003
【００７４】
表１から明らかな通り、実験例１によれば、流出口の内周面の略全体が略等径となっている実験例２、及び流出口の内周面の略全体が下端側ほど口径が小さくなる実験例３のいずれと比べても、受入室内に形成される旋回流の最大回転数Ｒが大きなものとなる。
【００７５】
［実験例４〜８］
第２図に示す流出口１６のテーパ部１６ｂの水平方向に対する平均傾斜角θが旋回流の流速にどのように影響するか検証する実験を行った。
【００７６】
即ち、実験例１においてテーパ部１６ｂの水平方向に対する平均傾斜角θを約１５°、３０°、４５°、６０°、７５°と変化させた他は実験例１と同一構成とした排水トラップを製作し、浴槽３に接続した。実験例１〜３と同じくこの浴槽３に約４００Ｌの水を張った状態から排水を行い、受入室１１内に形成された旋回流の最大回転数Ｒを計測した。結果を表２に示す。なお、表２には上記実験例１（θ＝３４°）のデータも併せて示す。
【００７７】
【表２】
2010222952.tif 000004
【００７８】
表２の通り、テーパ部１６ｂの水平方向に対する平均傾斜角θが１５〜６０°特に３０〜４５°のときに、受入室１１内により高速な旋回流が形成されるようになる。
【００７９】
＜実験例９：第７図の場合＞
実験例１〜８では、流出室１７の周壁１７ａが流出口１６に近接していたが、この周壁１７ａを第７図の通り受入室１１の周壁と面一状とし、また直筒状の流出口１６Ｆを備えた第７図に示す排水トラップ１０Ｆを製作した。第８図（ａ）はこの排水トラップ１０Ｆの概略的な断面図であり、寸法が記入されている。
この排水トラップ１０Ｆのその他の構成及び寸法は実験例２（流出口が直筒状）と同一である。即ち、第８図（ａ）の通り、受入室１１の直径は１１５ｍｍ、受入室底面１１ｆは水平、流出口１６Ｆの口径は９２ｍｍ、流出口１６Ｆの高さ（上下幅）は８ｍｍである。流出室１７の高さは１８ｍｍである。
この排水トラップ１０Ｆを実験例１〜８と同様に浴槽３に接続し、浴槽３内に水深４００ｍｍ又は２００ｍｍに水を張った状態から排水を行い、受入室１１内に形成された旋回流の最大回転数Ｒを計測した。結果を表３に示す。
【００８０】
＜実験例１０＞
流出口の形状を第８図（ｂ）の通り、下方ほど大径となるテーパ形状とした他は第８図（ａ）と同一の排水トラップ１０Ｇを製作した。流出口１６Ｇの上端部の口径は９２ｍｍ、流出口１６Ｇの傾斜角は２０°、流出口１６Ｇの高さは８ｍｍである。
この排水トラップ１０Ｇを浴槽３に接続し、浴槽３内に水深４００ｍｍ又は２００ｍｍに水を張った状態から排水を行い、受入室１１内に形成された旋回流の最大回転数Ｒを計測した。結果を表３に示す。
【００８１】
＜実験例１１＞
第８図（ｃ）の通り、受入室１１の底面１１ｆを流出口１６Ｈに向って下り勾配とし、流出口１６Ｈを円形開口とした他は第８図（ａ）と同一の排水トラップ１０Ｈを製作した。流出口１６Ｈは筒状部を備えていない。流出口１６Ｈの口径は９２ｍｍである。流出口１６Ｈの流出室１７の底面からの高さは１０ｍｍである。底面１１ｆの下り勾配は２０°である。
この排水トラップ１０Ｈを浴槽３に接続し、浴槽３内に水深４００ｍｍ又は２００ｍｍに水を張った状態から排水を行い、受入室１１内に形成された旋回流の最大回転数Ｒを計測した。結果を表３に示す。
なお、実験例９〜１１において、受入室１１内の渦の最大水位（受入室１１の底面からの高さ。第８図（ｃ）の場合は、底面１１ｆの外周縁からの高さ）を測定した。結果を表３に併せて示す。
【００８２】
【表３】
2010222952.tif 000005
【００８３】
表３から明らかな通り、受入室底面１１ｆを勾配面とした実験例１１（第８図（ｃ））に比べ、受入室底面１１ｆを水平とした実験例９，１０（第８図（ａ），（ｂ））の方が受入室内の旋回流速が大きい。また、実験例９，１０の対比から明らかな通り、流出口を直筒状とした実験例９（第８図（ａ））の場合よりも、下方ほど大径とした実験例１０（第８図（ｂ））の方が受入室内の旋回流速が大きいことが認められる。
【符号の説明】
【００８４】
１０，１０Ａ〜１０Ｈ  排水トラップ
１１  受入室
１２  流入口
１６，１６Ａ〜１６Ｈ  流出口
１８  流出室
１９  流出口部材
２０  排水管接続部
２１  排水管
２２，２３  通気管
【図１】
2010222952.tif 000006
【図２】
2010222952.tif 000007
【図３】
2010222952.tif 000008
【図４】
2010222952.tif 000009
【図５】
2010222952.tif 000010
【図６】
2010222952.tif 000011
【図７】
2010222952.tif 000012
【図８】
2010222952.tif 000013